(57)【要約】      （修正有）【課題】針の外面に任意の微細な凹形状を形成できるようにする。【解決手段】注射針７や穿刺針７、採血針７その他の針７の外面にレーザ光Ｌを照射することで、当該外面に内径若しくは内寸が１２０μｍ未満の凹部を形成する。そのためのレーザ加工機１は、例えば、針の外面における凹部を形成するべき箇所に内径若しくは内寸が１２０μｍ未満の凹部を形成するレーザ光を照射するレーザ光照射装置と、レーザ光照射装置から出射するレーザ光の光軸を針の外面に対し針の軸方向に沿って相対的に変位させる軸方向変位機構２、４と、レーザ光照射装置から出射するレーザ光の光軸を針の外面に対し針の軸回りの回転方向に沿って相対的に変位させる回転方向変位機構２，３とを具備する。【選択図】図１
2017000496.tif 000002
【特許請求の範囲】
【請求項１】
注射針や穿刺針、採血針その他の針の外面にレーザ光を照射することで当該外面に内径若しくは内寸が１２０μｍ未満の凹部を形成する針の加工方法。
【請求項２】
前記針の先端近傍の外面にレーザ光を照射して内径若しくは内寸が１２０μｍ未満の凹部を形成する請求項１記載の針の加工方法。
【請求項３】
前記針の外面に前記凹部を複数設けることとし、隣接する凹部間の距離が３００μｍ未満となるようにレーザ光の照射ピッチを設定する請求項１または２記載の針の加工方法。
【請求項４】
前記凹部は超音波検査における反射波の拡散を促進するために形成されるものである請求項１、２または３記載の針の加工方法。
【請求項５】
注射針や穿刺針、採血針その他の針の外面に凹部を形成するために用いられるレーザ加工機であって、
前記針の外面における前記凹部を形成するべき箇所に内径若しくは内寸が１２０μｍ未満の凹部を形成するレーザ光を照射するレーザ光照射装置と、
前記レーザ光照射装置から出射するレーザ光の光軸を前記針の外面に対し針の軸方向に沿って相対的に変位させる軸方向変位機構と、
前記レーザ光照射装置から出射するレーザ光の光軸を前記針の外面に対し針の軸回りの回転方向に沿って相対的に変位させる回転方向変位機構と
を具備するレーザ加工機。
【請求項６】
前記針の外面に前記凹部を複数設けることとし、隣接する凹部間の距離が３００μｍ未満となるようにレーザ光の照射ピッチを設定する請求項５記載のレーザ加工機。
【請求項７】
注射針や穿刺針、採血針その他の針であって、その外面にレーザ光を照射することで当該外面に内径若しくは内寸が１２０μｍ未満の凹部を形成した針。
【発明の詳細な説明】
【技術分野】
【０００１】
本発明は、針の外面に任意の微細な凹形状を形成するための加工方法及びレーザ加工機に関する。
【背景技術】
【０００２】
医療用途の針には様々な種類のものが存在する。中心静脈カテーテル設置用の穿刺針や、硬膜外麻酔のように複雑な神経ブロックに挿入される麻酔針、生体組織や卵子等の採取のための生検針や採卵針等は、身体内の所要の位置に適正に挿入される必要がある。そのために、針の挿入深さの特定や、針とその周囲の組織との相対的な位置関係を同定する技術が非常に重要となる。
【０００３】
身体内に挿入される針の位置を確認する手法としては、ランドマーク法及びエコーガイド法が知られている。ランドマーク法は、骨や筋肉等の解剖学的な目印を参考に、血管の走行や臓器の位置を推測しつつ穿刺を行うものであるが、ある医療学会誌に「熟練した麻酔科医が実施しても９０％以上の成功率を達成するのが困難」と記述されているほど、高度の熟練を要する。これに対し、エコーガイド法によれば、超音波検査装置を介して現在の針の位置を視覚化することができ、穿刺の手技の技術的ハードルを下げるのに効果がある。エコーガイド法は、近年急速に普及しつつある。
【０００４】
図６に示すように、エコーガイド法では、身体９における穿刺部位の近傍に、滅菌袋を被せた超音波検査装置のプローブ８を配置する。プローブ８から放射された超音波ビーム（エコービーム）８１は、身体９に挿入された針７や身体９内の血管９１等に当たって反射し、プローブ８に返ってくる。この反射波をプローブ８で受信し、反響を画像化してディスプレイの画面に表示する。
【０００５】
プローブ８から放たれる超音波ビーム（エコービーム）８１の伝搬方向と穿刺針７の軸とのなす角度θは、一般的には６０°程度とされる。つまり、プローブ８から放射された超音波８１が針７の外表面で鏡面反射（正反射）すると仮定すると、プローブ８に返ってくる反射波の量は極めて少ないことになる。そこで、エコーガイド法に使用する穿刺針７の外面には、超音波８１の拡散反射（乱反射）が起こるように、予め螺旋状の溝や無数の凹部（ディンプル）を形成しておく。
【０００６】
また、針を刺すときの痛みを軽減する目的で、針の外面に凹部を形成することもある。この凹部は、針と身体との間の刺通抵抗（摩擦抵抗）を軽減する役割を果たす。
【０００７】
従来、針の外面への凹部の形成は、加工刃による切削やプレスによる成形等といった機械加工により行われていた。だが、近時は、針の径をより細く、肉厚をより薄くしようとする傾向にある。機械加工では針に直接接触して圧力を加えることから、中空の針が加工の過程で変形してしまうことを防止するべく、機械加工に先立って針の内部通路に芯材を挿入する工程を追加せざるを得ない（例えば、下記特許文献を参照）。極細径の中実針（中空針のように内部に通路を有していない、中身の詰まった針）では、芯材の挿入は不可能であり、機械加工による針の変形を回避できないため、凹部の形成が困難である。
【０００８】
加えて、機械加工では、バイトの強度即ち太さの関係から、内径が一定以上に大きい凹部しか形成することができない。現に、エコーガイド法に使用する針の外面に設けられる凹部の内径は、３００μｍ以上であることが通例である。しかし、凹部の寸法が大きいことに起因して、超音波検査装置のディスプレイに表示される白陰画像上での針の位置が不鮮明となることがある。白陰画像上に針が鮮明に映し出されるよう、凹部の形状を様々に工夫する（例えば、楕円形状や非対称形状等とする）ことも考えられるものの、機械加工でそのような凹部を形成するのに必要なバイトの形状や加工速度、押圧力等の条件を求めることは容易ではない。
【０００９】
さらに、針の刺通抵抗を低減するための凹形状は、サブミクロンオーダーの微細な周期構造であることが望まれるが、機械加工ではそのような微小な凹部は到底形成できない。
【先行技術文献】
【特許文献】
【００１０】
【特許文献１】特開２０１４−２０７９４８号公報
【発明の概要】
【発明が解決しようとする課題】
【００１１】
本発明は、針の外面に任意の微細な凹形状を形成できるようにすることを所期の目的としている。
【課題を解決するための手段】
【００１２】
本発明に係る針の加工方法においては、注射針や穿刺針、採血針その他の針の外面にレーザ光を照射することにより、当該外面に内径若しくは内寸が１２０μｍ未満の凹部を形成する。
【００１３】
また、前記針の先端近傍の外面にレーザ光を照射して、内径若しくは内寸が１２０μｍ未満の凹部を形成することも考えられる。針の先端面は、ここに言う「先端近傍の外面」に該当する。
【００１４】
前記針の外面に前記凹部を複数設ける場合、隣接する凹部間の距離が３００μｍ未満となるようにレーザ光の照射ピッチを設定すれば、３００μｍ未満の間隔で凹部を配列することができる。
【００１５】
前記凹部は、例えば、超音波検査における反射波の拡散を促進するために形成されるものである。
【００１６】
本発明に係るレーザ加工機は、注射針や穿刺針、採血針その他の針の外面に凹部を形成するために用いられるものであって、前記針の外面における前記凹部を形成するべき箇所に内径若しくは内寸が１２０μｍ未満の凹部を形成するレーザ光を照射するレーザ光照射装置と、前記レーザ光照射装置から出射するレーザ光の光軸を前記針の外面に対し針の軸方向に沿って相対的に変位させる軸方向変位機構と、前記レーザ光照射装置から出射するレーザ光の光軸を前記針の外面に対し針の軸回りの回転方向に沿って相対的に変位させる回転方向変位機構とを具備する。
【００１７】
前記針の外面に前記凹部を複数設ける場合、隣接する凹部間の距離が３００μｍ未満となるよう、レーザ加工機におけるレーザ光の照射ピッチを設定する。
【発明の効果】
【００１８】
本発明によれば、針の外面に任意の微細な凹形状を形成することが可能となる。
【図面の簡単な説明】
【００１９】
【図１】本発明の一実施形態におけるレーザ加工機の構成を示す概要図。
【図２】同実施形態のレーザ加工機による加工を施した針の側面図。
【図３】同実施形態のレーザ加工機により針の外面に形成される凹部を示す拡大断面図。
【図４】同実施形態のレーザ加工機による加工を施した針の側面図。
【図５】同実施形態のレーザ加工機による加工を施した針の先端部位の斜視図。
【図６】エコーガイド法による穿刺を行う際の超音波検査装置のプローブと穿刺針との位置関係を模式的に示す図。
【発明を実施するための形態】
【００２０】
本発明の一実施形態を、図面を参照して説明する。本実施形態におけるレーザ加工機は、注射針や穿刺針、採血針その他の医療用の針７の外面に任意の微細な凹形状７１を形成するために用いられるものである。図１に示すように、本実施形態のレーザ加工機は、針７の外面における凹部７１を形成するべき箇所にレーザ光Ｌを照射するレーザ光照射装置１と、レーザ光照射装置１から出射するレーザ光Ｌの光軸を針７の外面に対し針７の軸方向に沿って相対的に変位させる軸方向変位機構と、レーザ光照射装置１から出射するレーザ光Ｌの光軸を針７の外面に対し針７の軸回りの回転方向（針７の周方向）に沿って相対的に変位させる回転方向変位機構とを具備する。
【００２１】
レーザ光照射装置１は、レーザ光源１１と、レーザ光源１１から供給されるレーザ光Ｌの投影形状を所要の形状に成形するビーム整形器１２及びマスク１３と、レーザ光Ｌの光軸を変位させるガルバノスキャナ１４及びＦθレンズ（または、投影レンズ）１５とを備えている。
【００２２】
本実施形態では、レーザ光源１１として、波長１０６０ｎｍのファイバーレーザを採用している。ファイバーレーザには、安価かつメンテナンスフリーであるという利点がある。当然ながら、レーザ光源１１はファイバーレーザに限定されず、例えば、基本波、第二高調波、第三高調波及び第四高調波を持つ結晶固体レーザをレーザ光源１１としてもよい。レーザ光源１１が発振するレーザは、連続波レーザであってもよく、パルスレーザであってもよい。ピコ秒レーザやフェムト秒レーザといったパルス幅の極めて短いレーザを用いれば、針７の外表面に対して熱の影響を抑制した加工をすることができる。レーザの波長も、材料の分光特性によるところがあり、一意には限定されない。
【００２３】
ビーム整形器１２は、レーザ光源１１が出力するレーザ光Ｌを平行光にしたり、所望の投影寸法（ビームサイズ）に拡大または縮小したりする機能を持つユニットである。マスク１３は、針７の外面に特殊な形状の凹部７１、例えば楕円、方形、菱形、非対称形状等の凹部７１を形成しようとする際に、加工対象となる針７の外面に照射されるレーザ光Ｌの投影形状を当該凹部７１の形状に合わせた楕円、方形、菱形、非対称形状等に成形する役割を担う。マスク１３は、ビーム整形器１２で整形したレーザ光Ｌを通過させる所定のマスクパターンを有する。マスク１３は、金属材料を用いて構成された穴明きマスクであることもあれば、透明なガラス材料と金属薄膜を用いて構成されたフォトマスクであることもある。あるいは、誘電体材料を用いて構成された誘電体マスク１３を採用しても構わない。マスク１３に代えて、可変スリットその他のアパーチャ機構を採用しても構わない。なお、針７の外面に真円形またはこれに近い形状の凹部７１を形成する場合には、マスクまたはアパーチャ機構１３は不要となる。
【００２４】
ガルバノスキャナ１４は、レーザ光Ｌの光軸をＸ軸方向及びＹ軸方向に変化させることのできる既知のものである。ガルバノスキャナ１４は、レーザ光Ｌを反射するミラーをサーボモータやステッピングモータ等により回動させることで、レーザ光Ｌの光軸の向きを変位させ、ひいてはレーザ光Ｌが照射される位置を変化させる。
【００２５】
レーザ光源１１から加工対象となる針７の外面に至るまでの光路上には、必要に応じて任意の光学要素、例えば光ファイバやミラー、レンズ等を配置することができる。
【００２６】
軸方向変位機構及び回転方向変位機構は、加工対象である針７を保持するコレットチャック等の保持装置２と、保持装置２及びこれに保持させた針７を当該針７の軸回りに回転させるサーボモータまたはステッピングモータ３と、保持装置２及びモータ３を支持するステージ４とを要素とする。
【００２７】
保持装置２は、針７を差し込んで保持させる単純な治具であってもよい。加工対象が注射針７や穿刺針７の類であることから、モータ３の出力トルクは大きくなくてもよい。モータ３に関して、ステップ＆リピートの加工が主であれば、換言すれば保持装置２及び針７の回動を停止させた状態でレーザ光Ｌを照射するのであれば、ステッピングモータが好ましく、保持装置２及び針７の回動を停止させずにレーザ光Ｌを照射するのであれば、エンコーダデータを読み込んで同期照射ができるサーボモータが好ましい。ステージ４は、針７、保持装置２及びモータ３を、針７の軸方向（針７の伸びる方向）であるＸ軸方向に沿って移動させるための移送装置を含んでいる。移送装置は、例えばリニアモータ台車である。
【００２８】
本実施形態のレーザ加工機にあっては、保持装置２及びステージ４が、針７をレーザ光Ｌの光軸に対して相対的にＸ軸方向に沿って変位させる軸方向変位機構として機能する。即ち、ステージ４を駆動して針７をレーザ光照射装置１に対して移動させることにより、針７の外面におけるレーザ光Ｌの照射を受ける箇所つまりは凹部７１が形成される箇所をＸ軸方向に沿って任意に制御することができる。そして、保持装置２及びモータ３が、針７の外面をレーザ光Ｌの光軸に対して相対的に軸回りに回動させる回転方向変位機構として機能する。即ち、モータ３を駆動して保持装置２とともに針７を軸回りに回転させることにより、針７の外面におけるレーザ光Ｌの照射を受ける箇所を軸回りの回転方向に沿って任意に制御することができる。
【００２９】
また、ガルバノスキャナ１４を介してレーザ光Ｌの光軸の向きを操作し、針７の外面におけるレーザ光Ｌの照射を受ける箇所をＸ軸方向に沿って任意に制御することもできる。このとき、ガルバノスキャナ１４が軸方向変位機構として機能することとなり、ステージ４が移送装置を含んでいる必要がなくなる。逆に、ステージ４が移動装置を含むのであれば、必ずしもガルバノスキャナ１４によってレーザ光Ｌの光軸の向きを操作する必要はない。それ故、ステージ４の移送装置またはガルバノスキャナ１４のうち一方を排してコストダウンを図ることも考えられる。ガルバノスキャナ１４を排した場合、レンズ１５は投影レンズとなる。
【００３０】
レーザ加工機には、針７の外面を撮影することのできる観察カメラ５を付設することが好ましい。
【００３１】
レーザ加工機の制御を司る制御部６は、プロセッサ、メインメモリ、補助記憶デバイス、Ｉ／Ｏインタフェース等を有し、これらがコントローラ（システムコントローラやＩ／Ｏコントローラ等）によって制御されて連携動作するものである。補助記憶デバイスは、フラッシュメモリ、ハードディスクドライブ、その他である。Ｉ／Ｏインタフェースは、サーボドライバ（サーボコントローラ）を含むことがある。また、制御部６は、汎用的なパーソナルコンピュータ、サーバコンピュータ、ワークステーション、シーケンサ（ＰＬＣ）等により構成されることがある。
【００３２】
制御部６が実行するべきプログラムは、補助記憶デバイスに記憶されており、プログラム実行の際に、メインメモリに読み込まれ、プロセッサによって解読される。そして、制御部６は、プログラムに従い、レーザ加工機を制御するために必要な機能を発揮する。即ち、制御部６は、レーザ光源１１、ガルバノスキャナ１４、保持装置２に連結しているモータ３、ステージ４に包含される移送装置等に制御信号を与え、これらを制御する。メインメモリまたは補助記憶デバイスには、針７の外面に凹部７１を形成するべき複数の位置座標、隣接する凹部７１間の間隔（ピッチ）７１３、７１４、７１５または凹部７１を形成する個数等を規定する情報が格納されており、針７の外面における当該情報により規定される位置にレーザ光Ｌを照射できるよう、ガルバノスキャナ１４を制御してレーザ光Ｌの光軸の向きを操作したり、モータ３を制御して針７を軸回りに回転させ針７の外面に対してレーザ光Ｌが照射される（軸回りの回転方向に沿った）位置を調節したり、移送装置を制御して針７を軸方向に移動させ針７の外面に対してレーザ光Ｌが照射される（軸方向に沿った）位置を調節したりする。針７の外面に複数の凹部７１を、ランダムなパターンではなく、規則正しい間隔７１３で回転方向に沿って配列する際（図２（Ｂ）に示す千鳥パターンを含む）、凹部７１間の間隔７１３または凹部７１の形成個数によっては針７を一周する３６０°を凹部７１の間隔７１３または個数（ともに整数値）で割り切れないケースが出てくる。その場合は、割り切れない余りの分を各凹部７１間の間隔７１３に均等割りして、複数の凹部７１が回転方向に沿って見かけ上等間隔に並ぶよう、レーザ光Ｌ照射位置を調整する。加えて、制御部６は、レーザ光源１１に対し、針７に向けたレーザ光Ｌの出射のＯＮ／ＯＦＦのタイミングを指令する。
【００３３】
図２及び図３に示すように、本実施形態では、針７の外面にレーザ光Ｌを照射することで、当該外面に多数の凹部７１を形成する。これらの凹部７１は、超音波検査において超音波検査装置から放たれる超音波ビーム８１の拡散反射を促進するために形成され、及び／または、針７を刺すときの痛みを軽減する目的で針７と身体９との間の刺通抵抗を軽減するために形成される。
【００３４】
各凹部７１の内径若しくは内寸７１１は、１０μｍ以上かつ１２０μｍ未満とする。そのような凹部７１が形成されるよう、レーザ加工機が針７の外面に照射するレーザ光Ｌの出力や照射時間（または、レーザ光Ｌのパルス幅）、マスクまたはアパーチャ機構１３により成形されるレーザ光Ｌの投影形状を設定する。針７の外面に照射したレーザ光Ｌにより針７の外面が熱加工される場合、図３に示しているように、凹部７１の周縁に外方に向けて突き出す盛り上がり７１２が形成されることがあるが、この盛り上がりの高さ（針７の外面から盛り上がりの頂までの距離）７１２を数μｍ未満に抑制することは容易である。また、盛り上がりの高さ７１２が３μｍ未満（特に、２μｍ程度またはそれ以下）であれば、刺通抵抗に悪影響を与えることはなく、針７を刺すときの痛みを増進することがない。なお、レーザ光Ｌとしてピコ秒レーザやフェムト秒レーザといった極めて短いレーザを用いれば、非熱加工により針７の外面に凹部７１を形成することができ、盛り上がり７１２が殆どまたは全く生じない（盛り上がりの高さ７１２がほぼ０となる）。
【００３５】
また、隣り合う凹部７１の離間距離７１３、７１４、７１５は、３００μｍ未満とすることが好ましい。図２（Ａ）に示す例では、針７の周方向に沿った凹部７１間の間隔７１３を、軸回りの角度で言えば７．５°、１５°、２０°または３０°以下に設定する。これは、間隔７１３を１００μｍ以下に設定することと同義となる。また、針７の軸方向に沿った凹部７１間の間隔７１４は、１００μｍ、１５０μｍ、２００μｍ、２５０μｍまたは３００μｍ以下に設定する。図２（Ｂ）に示す例でも、針７の外周面に沿った凹部７１間の間隔７１５を、１００μｍ、１５０μｍ、２００μｍ、２５０μｍまたは３００μｍ以下に設定する。
【００３６】
本実施形態のレーザ加工機では、凹部７１間の間隔７１３、７１４、７１５がそのような大きさとなるよう、つまりはそのような間隔７１３、７１４、７１５で凹部７１が形成されるよう、針７の外面にレーザ光Ｌを照射するタイミングまたは間隔、モータ３による針７の軸回りの回転の停止位置または回転速度、移送機構による針７の軸方向に沿った移動の停止位置または移動速度、ガルバノスキャナ１４が操作するレーザ光Ｌの光軸の向きを制御し、以て針７の外面に対するレーザ光Ｌの照射ピッチ（換言すれば、照射位置）を設定する。複数の凹部７１は、図示例のように規則正しく並んでいてもよいし、不規則なランダムパターンとなっていてもよい。
【００３７】
針７の外面に形成する凹部７１の形状は、図２及び図４（Ａ）に示すように側面視略真円形状としてもよく、図４（Ｂ）に示すように側面視略方形状としてもよい。または、図４（Ｃ）に示すように側面視略楕円形状としてもよく、図４（Ｄ）に示すように側面視略菱形状としてもよい。このように、本実施形態のレーザ加工機は、針７の外面に様々な形状を任意に形成することができる。
【００３８】
各凹部７１が、非対称な形状となっていても構わない。図３（Ａ）に示す例では、凹部７１の内形が概ね当該凹部７１の中心軸に対称となっているのに対し、図３（Ｂ）に示す例では、凹部７１の内形が概ね当該凹部７１の中心軸に非対称となっている。図６に示しているように、超音波ビーム８１の伝搬方向と針７の軸心とがある一定の角度θをなすような態様で使用されるエコー針７の外表面に、図３（Ｂ）に示す一方向に偏った（角度θに対応した）内形を有する凹部７１を形成することにより、針７に当たった超音波８１をプローブ８に向けて好適に反射させることが可能となる。
【００３９】
凹部７１の内径若しくは内寸７１１、凹部７１の間隔７１３、７１４、７１５、並びに凹部７１の形状は、超音波ビーム８１の波長を考慮に入れた上、プローブ８から放たれた超音波８１が針７に当たって拡散し十分な量の反射波がプローブ８に返ってくるように設定する。及び／または、針７の刺通抵抗の低下ひいては針７を刺すときの痛みの軽減に有利となるように設定する。
【００４０】
針７の外面における部位毎に、形成される凹部７１の内径若しくは内寸７１１、凹部７１の間隔７１３、７１４、７１５、または凹部７１の形状が異なっていてもよい。図４（Ａ）に示している例では、内径若しくは内寸７１１の大きい凹部７１と小さい凹部７１とを混在させている。
【００４１】
図５に示すように、針７の先端近傍の部位の外面にレーザ光Ｌを照射して複数の凹部７１を形成することもできる。さらには、針７の先端面７２に凹部７１を形成しても構わない。通常、針７の先端面７２の幅、即ち針７の外周と内周との間の厚みは１００μｍ以下であるため、機械加工ではこの先端面７２に凹部７１を形成することは不可能である。しかし、本実施形態のレーザ加工機によれば、この先端面７２の幅の間に、内径若しくは内寸７１１が１０μｍから５０μｍの間の凹部７１を複数形成することが可能である。
【００４２】
本実施形態のレーザ加工機及び加工方法によれば、針７の外面に任意の微細な凹形状７１を形成することができる。従来の機械加工では実現不可能であった小形の凹部７１を、微小間隔７１３、７１４で多数形成することが可能であり、これまで得られなかった性能の針７、例えば、エコーガイド法において白陰画像上で針７の先端近傍まではっきりと視認できるような針７や、刺通抵抗のより一層小さい針７を実現し得る。
【００４３】
機械加工とは異なる非接触の加工であるので、針７を押し潰すことがなく、針７が変形しないよう芯材を挿入する工程や、変形した針７を修正する工程を省略することができ、針７の作製コストの削減に寄与する。
【００４４】
なお、本発明は以上に詳述した実施形態に限られるものではない。例えば、図示例の針７は内部通路を有した中空針であったが、本発明に係るレーザ加工機及び加工方法により中実針の外面に凹部７１を形成することも当然に可能である。
【００４５】
その他各部の具体的構成は、本発明の趣旨を逸脱しない範囲で種々変形が可能である。
【産業上の利用可能性】
【００４６】
本発明は、針の外面に任意の微細な凹形状を形成するための加工処理に適用することができる。
【符号の説明】
【００４７】
Ｌ…レーザ光
１…レーザ光照射装置
２、３…回転方向変位機構（保持装置、モータ）
２、４…軸方向変位機構（保持装置、ステージ）
７…針
７１…凹部
７１１…凹部の内径若しくは内寸
７１３、７１４、７１５…凹部の間隔
【図１】
2017000496.tif 000003
【図２】
2017000496.tif 000004
【図３】
2017000496.tif 000005
【図４】
2017000496.tif 000006
【図５】
2017000496.tif 000007
【図６】
2017000496.tif 000008